(57)【要約】【課題】光学性能を犠牲にすることなく、回転多面鏡からの光ビームが被走査体に照射される過程で該光ビームを反射する反射対象物に反射する反射光（戻り光）に起因する迷光の発生を確実に防止することができる光学走査装置及びそれを備えた画像形成装置を提供する。【解決手段】光ビームを発光する光源７１からの照射方向Ｇに進む光ビームＬを回転多面鏡７４により主走査方向Ｘに走査し、回転多面鏡７４により主走査方向Ｘに走査される光ビームＬを結像光学系８０により被走査体３に結像する光学走査装置１（１ａ〜１ｅ）は、照射方向Ｇに進む光ビームＬを透過する一方、照射方向Ｇに進む光ビームＬが該光ビームＬを反射する反射対象物３，７５，７７に反射して回転多面鏡７４に戻る反射光（戻り光）を遮光する光学部材１００を備えている。【選択図】図４
2011013322.tif 000002
【特許請求の範囲】
【請求項１】
光ビームを発光する光源からの照射方向に進む光ビームを回転多面鏡により主走査方向に走査し、前記回転多面鏡により主走査方向に走査される光ビームを結像光学系により被走査体に結像する光学走査装置であって、
前記照射方向に進む光ビームを透過する一方、前記照射方向に進む光ビームが該光ビームを反射する反射対象物に反射して前記回転多面鏡に戻る反射光を遮光する光学部材を備えていることを特徴とする光学走査装置。
【請求項２】
請求項１に記載の光学走査装置において、
前記光学部材は、前記照射方向に進む光ビームにおける一方向の直線偏光を構成する複数の成分を通過させる第１機能と、前記第１機能により通過した後の光が該第１機能により通過しないように該複数の成分の間で位相差を生じさせる第２機能とを備えていることを特徴とする光学走査装置。
【請求項３】
請求項２に記載の光学走査装置において、
前記光学部材は、前記照射方向に進む光ビームにおける一方向の直線偏光を構成する複数の成分を通過させる第１部材と、前記第１部材からの光ビームが円偏光を示すように該光ビームの偏光方向角度を変える第２部材とを備えており、前記第１部材及び前記第２部材が前記照射方向に向けてこの順で配置されていることを特徴とする光学走査装置。
【請求項４】
請求項３に記載の光学走査装置において、
前記第１部材は偏光子であり、前記第２部材は波長板であることを特徴とする光学走査装置。
【請求項５】
請求項３又は請求項４に記載の光学走査装置において、
前記第１部材及び前記第２部材は、前記回転多面鏡の近傍に設けられていることを特徴とする光学走査装置。
【請求項６】
請求項３から請求項５までの何れか一つに記載の光学走査装置において、
前記第１部材及び前記第２部材は、前記回転多面鏡と前記被走査体との間に設けられていることを特徴とする光学走査装置。
【請求項７】
請求項６に記載の光学走査装置において、
前記第１部材及び前記第２部材は、前記回転多面鏡と前記被走査体との間において、前記回転多面鏡からの光ビームの前記被走査体への走査領域よりも外側へ超えて設けられていることを特徴とする光学走査装置。
【請求項８】
請求項６又は請求項７に記載の光学走査装置において、
前記回転多面鏡で主走査方向に走査される光ビームを検出して主走査方向における光ビームの走査位置の同期を取るための水平同期信号を出力する水平同期信号出力手段を備え、
前記第１部材及び前記第２部材は、前記回転多面鏡と前記被走査体との間において、前記回転多面鏡からの光ビームを前記水平同期信号出力手段へ出射する水平同期出射領域よりも外側へ超えて設けられていることを特徴とする光学走査装置。
【請求項９】
請求項３から請求項７までの何れか一つに記載の光学走査装置において、
前記回転多面鏡で主走査方向に走査される光ビームを検出して主走査方向における光ビームの走査位置の同期を取るための水平同期信号を出力する水平同期信号出力手段と、前記回転多面鏡からの光ビームを反射して前記水平同期信号出力手段に導く反射手段とを備え、
前記第１部材及び前記第２部材のうち少なくとも前記第２部材が前記反射手段と前記水平同期信号出力手段との間に設けられていることを特徴とする光学走査装置。
【請求項１０】
請求項６、請求項７又は請求項９に記載の光学走査装置において、
前記回転多面鏡で主走査方向に走査される光ビームを検出して主走査方向における光ビームの走査位置の同期を取るための水平同期信号を出力する水平同期信号出力手段を備え、
前記第１部材は、前記回転多面鏡からの光ビームの前記被走査体への走査領域、前記回転多面鏡と前記水平同期信号出力手段との間の光路をまたぐように設けられており、前記回転多面鏡と前記水平同期信号出力手段との間に前記第２部材が別途設けられていることを特徴とする光学走査装置。
【請求項１１】
請求項６から請求項１０までの何れか一つに記載の光学走査装置において、
前記第１部材は、前記回転多面鏡へ向かって前記照射方向に進む光ビームの光路をまたぐように設けられていることを特徴とする光学走査装置。
【請求項１２】
請求項１から請求項１１までの何れか一つに記載の光学走査装置を備えた画像形成装置。
【発明の詳細な説明】
【技術分野】
【０００１】
本発明は、デジタル複写機やプリンタ、ファクシミリ装置等の画像形成装置に適用できる光学走査装置及び画像形成装置に関する。
【背景技術】
【０００２】
この種の光学走査装置は、従来からデジタル複写機やプリンタ、ファクシミリ装置等の画像形成装置に搭載され、これらの画像形成装置における光書き込み手段として広く利用されている。
【０００３】
この光学走査装置を備えた画像形成装置では、例えば、電子写真方式の画像形成プロセスにより画像形成する場合、被走査体として作用する感光体等の像担持体の表面を帯電させ、その帯電域を画像情報に基づいて、光学走査装置において光源からの光ビームを変調させながら回転多面鏡（ポリゴンミラーともいう）によって像担持体の表面に対して主走査方向に走査することで、静電潜像を形成し（書き込み）、現像剤を用いて該静電潜像を現像してトナー像を形成し、このトナー像を中間転写体や記録シート等の被転写体に転写し、該被転写体が中間転写体のときはさらに記録シートに転写し定着させ、該被転写体が記録シートのときはそのまま定着させる。
【０００４】
光学走査装置では、一般的に、レーザダイオード等の光源から画像信号に応じて変調された光ビームを出射し、この光ビームをコリメートレンズと呼ばれるレンズによって略平行な光束にし、これをシリンドリカルレンズと呼ばれるレンズに入射させ、さらに所定の一定方向に一定速度で高速回転する回転多面鏡の反射面の近傍に集光させ、主走査方向に走査する。そして、この回転多面鏡からの光ビームを、ｆθレンズと呼ばれるレンズを含む結像光学系により、被走査体の被走査面（例えば感光体等の像担持体の表面）に結像させる。
【０００５】
このような光学走査装置では、光源からの照射方向に進む光ビームが被走査体に照射される過程で迷光が生じることがある。この迷光は、被走査体の被走査面を不要に露光することがあり、そうすると、形成される画像の品質の低下を招く。
【０００６】
従来においては、例えば、光源と回転多面鏡との間において回転多面鏡の近傍に、不要な光を遮断するための遮光リブを設け、被走査面の走査領域以外で迷光を防止する光学走査装置が提案されている（下記特許文献１参照）。
【０００７】
しかしながら、特許文献１に記載の光学走査装置では、光源と回転多面鏡との間において回転多面鏡の近傍に遮光リブを設けることで、被走査面の走査領域以外で迷光を防止できても、回転多面鏡からの光ビームが被走査体に照射される過程で結像光学系や被走査体等の反射対象物に反射することで発生する反射光（戻り光）による迷光、特に、反射対象物に正反射することで発生する正反射光による迷光を防止するようにはなっていない。
【０００８】
図１３は、従来の光学走査装置においてレーザ光源Ｃ１からのレーザビームＬが被走査体Ｃ４に照射される過程で発生し得る正反射光Ｌ１による迷光Ｌ２を説明するための図である。
【０００９】
図１３に示すように、従来の光学走査装置では、レーザ光源Ｃ１からの照射方向Ｇに進むレーザビームＬを、回転する回転多面鏡Ｃ２の反射面Ｃ２ａに反射させてレーザビームＬの主走査方向Ｘの走査を行っている。その過程において、回転多面鏡Ｃ２で反射したレーザビームＬをそのレーザビームＬの成形を行うために幾つかのレンズ（例えばｆθレンズ）Ｃ３１，Ｃ３２を含む結像光学系Ｃ３に通過させる構造となっている。このため、回転多面鏡Ｃ２からのレーザビームＬが結像光学系Ｃ３のレンズＣ３１，Ｃ３２に照射されることにより、一部の光がレンズＣ３１，Ｃ３２のレンズ面Ｃ３１ａ，Ｃ３２ａで正反射することがある。また、回転多面鏡Ｃ２からのレーザビームＬが被走査体（例えば感光体ドラム）Ｃ４の被走査面Ｃ４ａに照射されることにより、正反射することもある。そうすると、その正反射光Ｌ１が回転多面鏡Ｃ２の反射面Ｃ２ａまで到達することにより、この反射面Ｃ２ａで再反射され、これが迷光Ｌ２となって、再度、被走査体Ｃ４の被走査面Ｃ４ａを露光する。
【００１０】
特に、近年の高速対応に伴って回転多面鏡Ｃ２の面数が増加すると、回転多面鏡Ｃ２で再反射する迷光Ｌ２が主走査方向Ｘの走査領域内に入りやすくなり、それだけ迷光対策が重要になってきている。
【００１１】
この点に関し、下記特許文献２に記載のように、結像光学系Ｃ３を構成する反射対象物（例えば、レンズＣ３１，Ｃ３２）を、レーザビームＬの回転多面鏡Ｃ２での主走査方向Ｘの走査による走査軌跡を示す走査面に対して傾けることで、レンズ面Ｃ３１ａ，Ｃ３２ａで正反射する正反射光Ｌ１を回転多面鏡Ｃ２の反射面Ｃ２ａ以外に逃がし、これにより該正反射光Ｌ１による迷光を防止することも可能であるが、このように、結像光学系Ｃ３を構成するレンズＣ３１，Ｃ３２を傾けてしまうと結像光学系Ｃ３の光学性能を犠牲にする必要があり、しかも、被走査体Ｃ４の被走査面Ｃ４ａで正反射する正反射光Ｌ１による迷光については防止することができない。
【先行技術文献】
【特許文献】
【００１２】
【特許文献１】特開２００７−１１０１５号公報
【特許文献２】特開平９−３３８４２号公報
【発明の概要】
【発明が解決しようとする課題】
【００１３】
そこで、本発明は、光学性能を犠牲にすることなく、回転多面鏡からの光ビームが被走査体に照射される過程で該光ビームを反射する反射対象物に反射する反射光（戻り光）に起因する迷光の発生を確実に防止することができる光学走査装置及びそれを備えた画像形成装置を提供する。
【課題を解決するための手段】
【００１４】
本発明は、前記課題を解決するために、光ビームを発光する光源からの照射方向に進む光ビームを回転多面鏡により主走査方向に走査し、前記回転多面鏡により主走査方向に走査される光ビームを結像光学系により被走査体に結像する光学走査装置であって、前記照射方向に進む光ビームを透過する一方、前記照射方向に進む光ビームが該光ビームを反射する反射対象物に反射して前記回転多面鏡に戻る反射光（戻り光）を遮光する光学部材を備えていることを特徴とする光学走査装置を提供する。また、本発明は、前記本発明に係る光学走査装置を備えた画像形成装置も提供する。
【００１５】
本発明に係る光学走査装置及び画像形成装置では、前記照射方向に進む光ビームは、前記光学部材を通過し、前記結像光学系を経て前記被走査体に照射される。この過程において、前記回転多面鏡からの光ビームが前記結像光学系のレンズ等の前記反射対象物に照射されることにより、一部の光が前記反射対象物で反射（特に正反射）することがある。また、前記回転多面鏡からの光ビームが前記反射対象物として作用する前記被走査体の被走査面に照射されることにより、反射（特に正反射）することもある。しかし、前記光学部材は、前記照射方向に進む光ビームが前記反射対象物に反射して前記回転多面鏡に戻る反射光（戻り光）、特に、前記照射方向に進む光ビームが前記反射対象物に正反射して前記回転多面鏡に戻ることがある正反射光を遮光することができる。これにより、該反射光（戻り光）の前記回転多面鏡への再反射を回避でき、ひいては該反射光（戻り光）に起因する迷光の発生を効果的に防止することが可能となる。しかも、従来構成の如く、前記結像光学系を構成するレンズ等の反射対象物を傾けなくてもよいので、光学性能を犠牲にすることはない。
【００１６】
本発明において、前記光学部材としては、前記照射方向に進む光ビームにおける一方向の直線偏光を構成する複数の成分を通過させる第１機能と、前記第１機能により通過した後の光が該第１機能により通過しないように該複数の成分の間で位相差を生じさせる第２機能とを備えているものを例示できる。なお、前記一方向の直線偏光とは、偏光方向が前記一方向に向く直線偏光を意味している。
【００１７】
この特定事項では、前記照射方向に進む光ビームを透過する一方、前記照射方向に進む光ビームが前記反射対象物に反射して前記回転多面鏡に戻る反射光（戻り光）を遮光するための構成を容易に実現することができる。
【００１８】
この光学部材の具体的な態様としては、前記照射方向に進む光ビームにおける一方向の直線偏光を構成する複数の成分を通過させる第１部材（例えば偏光子）と、前記第１部材からの光ビームが円偏光を示すように該光ビームの偏光方向角度を変える第２部材（例えば波長板）とを備えており、前記第１部材及び前記第２部材が前記照射方向に向けてこの順で配置されている態様を例示できる。
【００１９】
この特定事項では、前記照射方向に進む光ビームは前記一方向の直線偏光を構成する成分（例えば二つの成分）が前記第１部材を通過し、さらに、前記第２部材を通過することで、円偏光を示すように前記偏光方向角度に応じて位相がずれる（例えば９０度ずれる）。こうして前記第２部材を通過した光ビームは、前記一方向の直線偏光を構成する成分から、位相がずれて（例えば９０度ずれて）円偏光を構成する成分へと変換された光となり、前記結像光学系を経て前記被走査体に照射される。ここで、前記結像光学系からの正反射光等の反射光（戻り光）や、前記被走査体からの正反射光等の反射光（戻り光）は、前記一方向の直線偏光を構成する成分から、位相がずれて円偏光を構成する成分に変換された光のままである。このことから、該反射光（戻り光）は、前記第２部材を再び通過することで、前記偏光方向角度に応じて位相がさらにずれると（例えばさらに９０度ずれると）、前記一方向（つまり前記第１部材の方位）に直交する直線偏光を構成する成分に変換された光となる。なお、前記一方向に直交する直線偏光とは、偏光方向が前記一方向に直交する方向に向く直線偏光を意味している。このため、該反射光（戻り光）が前記一方向の直線偏光を構成する成分を透過する前記第１部材に照射されても、この反射光（戻り光）の前記第１部材への通過を阻止することができる。これにより、該反射光（戻り光）の前記回転多面鏡への再反射を回避でき、ひいては該反射光（戻り光）に起因する迷光の発生を効果的に防止することが可能となる。
【００２０】
本発明において、前記第１部材及び前記第２部材は、前記回転多面鏡の近傍に設けられていることが好ましい。
【００２１】
この特定事項では、例えば、前記第１部材及び前記第２部材が前記回転多面鏡と前記被走査体との間に設けられている場合、前記第１部材及び前記第２部材が前記回転多面鏡に近ければ近い程、前記回転多面鏡による光ビームの前記被走査体への走査領域が狭くなるため、前記第１部材及び前記第２部材としてそれだけ長い部材を必要とせず、安価に迷光を防止することが可能となる。また、前記第１部材及び前記第２部材が前記回転多面鏡に近ければ近い程、前記第１部材及び前記第２部材の長さに余裕を持たせやすくでき、これにより、前記結像光学系のレンズや前記被走査体等の反射対象物からの正反射光だけでなく、該正反射光以外の光も効率よく遮光することができる。
【００２２】
前記第１部材及び前記第２部材は、前記回転多面鏡と前記被走査体との間に設けられている態様を例示できる。
【００２３】
この場合、前記回転多面鏡と前記被走査体との間において、前記第１部材及び前記第２部材の双方が前記回転多面鏡からの光ビームの前記被走査体への走査領域の内側に設けられている態様、前記第１部材及び前記第２部材のうち何れか一方が前記走査領域よりも外側へ超えて設けられている態様を例示できる。
【００２４】
この特定事項では、前記回転多面鏡からの光ビームが前記被走査体に照射される過程で反射する反射光（戻り光）として、前記結像光学系及び／又は前記被走査体からの正反射光等の反射光を抑制することができる。
【００２５】
より好ましくは、前記第１部材及び前記第２部材は、前記回転多面鏡と前記被走査体との間において、前記回転多面鏡からの光ビームの前記被走査体への走査領域よりも外側へ超えて設けられている態様を例示できる。
【００２６】
この特定事項では、前記第１部材及び前記第２部材が前記走査領域よりも外側へ超えて設けられているので、前記結像光学系及び／又は前記被走査体からの正反射光等の反射光（戻り光）を確実に遮光することが可能となる。
【００２７】
本発明において、前記回転多面鏡で主走査方向に走査される光ビームを検出して主走査方向における光ビームの走査位置の同期を取るための水平同期信号を出力する水平同期信号出力手段を備えていてもよい。
【００２８】
ところで、前記水平同期信号出力手段を備えている場合、前記回転多面鏡からの光ビームが前記水平同期信号出力手段に照射される過程で前記水平同期信号出力手段等の部材に反射（特に正反射）して前記回転多面鏡に戻ることもある。つまり、前記回転多面鏡からの光ビームが前記水平同期信号出力手段に照射される過程で反射し得る前記水平同期信号出力手段等の部材が前記反射対象物として作用することもある。
【００２９】
この場合、前記第１部材及び前記第２部材は、前記回転多面鏡と前記被走査体との間において、前記回転多面鏡からの光ビームを前記水平同期信号出力手段へ出射する水平同期出射領域よりも外側へ超えて設けられていることが好ましい。
【００３０】
この特定事項では、前記第１部材及び前記第２部材が前記水平同期出射領域よりも外側へ超えて設けられているので、前記第１部材及び前記第２部材を別途設けることなく、前記結像光学系及び／又は前記被走査体からの正反射光等の反射光（戻り光）と、前記水平同期信号出力手段からの正反射光等の反射光（戻り光）とを確実に遮光することが可能となる。
【００３１】
また、前記水平同期信号出力手段を備えている場合、前記回転多面鏡からの光ビームを反射して前記水平同期信号出力手段に導く反射手段をさらに備えている態様を例示できる。この態様において、前記第１部材及び前記第２部材のうち少なくとも前記第２部材が前記反射手段と前記水平同期信号出力手段との間に設けられている態様を例示できる。
【００３２】
この場合、前記回転多面鏡と前記被走査体との間と、前記反射手段と前記水平同期信号出力手段との間とにそれぞれ前記第１部材及び前記第２部材の双方が設けられている態様、前記反射手段と前記水平同期信号出力手段との間のみに前記第１部材及び前記第２部材の双方が設けられている態様、或いは、前記回転多面鏡と前記被走査体との間に前記第１部材及び前記第２部材の双方が設けられ、かつ、前記回転多面鏡と前記反射手段との間に別途前記第１部材が設けられ、かつ、前記反射手段と前記水平同期信号出力手段との間に別途前記第２部材が設けられている態様を例示できる。
【００３３】
この特定事項では、前記回転多面鏡からの光ビームが前記被走査体に照射される過程で反射する反射光（戻り光）として、前記水平同期信号出力手段からの正反射光等の反射光を遮光することができ、しかも、前記第１部材及び前記第２部材のうち少なくとも前記第２部材が前記反射手段と前記水平同期信号出力手段との間に設けられることで、該部材を小さいサイズにすることができ、それだけ安価に前記水平同期信号出力手段からの正反射光等の反射光（戻り光）による迷光の発生を防止することができる。
【００３４】
前記水平同期信号出力手段を備えている場合、前記水平同期信号出力手段等の前記反射対象物からの正反射光等の反射光（戻り光）と前記結像光学系のレンズや被走査体等の前記反射対象物からの正反射光等の反射光（戻り光）とを遮光する上で、前記第１部材及び前記第２部材の双方の部材を前記回転多面鏡と前記被走査体との間と、前記回転多面鏡と前記水平同期信号出力手段との間とにそれぞれ設けてもよいが、この場合、２個の前記第１部材と、２個の前記第２部材との少なくとも合計４個の部材を必要とする。かかる観点から、前記第１部材及び前記第２部材の双方が前記回転多面鏡と前記被走査体との間に設けられており、前記第１部材は、前記回転多面鏡からの光ビームの前記被走査体への走査領域、前記回転多面鏡と前記水平同期信号出力手段との間の光路をまたぐように設けられており、前記回転多面鏡と前記水平同期信号出力手段との間に前記第２部材が別途設けられている態様を例示できる。
【００３５】
なお、前記反射手段を備える場合には、前記反射手段と前記水平同期信号出力手段との間に前記第２部材が別途設けられていてもよいし、前記第１部材と前記反射手段との間に前記第２部材が別途設けられていてもよい。
【００３６】
この特定事項では、１個の前記第１部材と、２個の前記第２部材との少なくとも合計３個の部材で済み、それだけ安価な構成で、前記結像光学系及び／又は前記被走査体からの正反射等の反射光（戻り光）と、前記水平同期信号出力手段からの正反射光等の反射光（戻り光）とを遮光することが可能となる。
【００３７】
本発明において、前記第１部材は、前記回転多面鏡へ向かって前記照射方向に進む光ビームの光路をまたぐように設けられていることが好ましい。
【００３８】
この特定事項では、前記回転多面鏡の光ビームが照射される反射面を覆うように前記第１部材を配置することができ、これにより、前記回転多面鏡の反射面の汚れを有効に防止することができる上、騒音の効果も期待することができる。
【発明の効果】
【００３９】
以上説明したように、本発明に係る光学走査装置及び画像形成装置によると、前記照射方向に進む光ビームを透過する一方、前記照射方向に進む光ビームが前記反射対象物に反射して前記回転多面鏡に戻る反射光（戻り光）を遮光する光学部材を備えているので、光学性能を犠牲にすることなく、前記回転多面鏡からの光ビームが前記被走査体に照射される過程で前記反射対象物に反射する反射光（戻り光）に起因する迷光の発生を確実に防止することが可能となる。
【図面の簡単な説明】
【００４０】
【図１】本発明に係る光学走査装置の実施の形態を適用した画像形成装置を概略的に示す側面図である。
【図２】図１に示す光学走査装置を詳細に示す斜視図である。
【図３】図１に示す画像形成装置における光学走査装置を感光体ドラムとの位置関係と共に示す図であって、図（ａ）は、該光学走査装置の概略平面図であり、図（ｂ）は、該光学走査装置の概略側面図である。
【図４】本発明の第１実施形態に係る光学走査装置の概略構成を感光体ドラムと共に示す平面図である。
【図５】本発明の第１実施形態に係る光学走査装置の概略構成を感光体ドラムと共に示す側面図である。
【図６】図４及び図５に示す光学走査装置における光学部材の動作原理を説明するための図であって、図（ａ）から図（ｃ）は、それぞれ、第１過程から第３過程におけるレーザビームの偏光状態を示す図である。
【図７】図４及び図５に示す光学走査装置における光学部材の動作原理を説明するための図であって、図（ａ）及び図（ｂ）は、それぞれ、第４過程及び第５過程におけるレーザビームの偏光状態を示す図である。
【図８】図４及び図５に示す光学走査装置における照射方向に沿った各隣り合う構成要素間でのレーザビーム及び正反射光の偏光状態を示す模式図である。
【図９】本発明の第２実施形態に係る光学走査装置の概略構成を感光体ドラムと共に示す平面図である。
【図１０】本発明の第３実施形態に係る光学走査装置の概略構成を感光体ドラムと共に示す平面図である。
【図１１】本発明の第４実施形態に係る光学走査装置の概略構成を感光体ドラムと共に示す平面図である。
【図１２】本発明の第５実施形態に係る光学走査装置の概略構成を感光体ドラムと共に示す平面図である。
【図１３】従来の光学走査装置においてレーザ光源からのレーザビームが被走査体に照射される過程で発生し得る正反射光による迷光を説明するための図である。
【発明を実施するための形態】
【００４１】
以下、本発明に係る実施の形態について図面を参照しながら説明する。なお、以下の実施の形態は、本発明を具体化した例であって、本発明の技術的範囲を限定する性格のものではない。
【００４２】
図１は、本発明に係る光学走査装置の実施の形態を適用した画像形成装置Ｄを概略的に示す側面図である。
【００４３】
図１に示す画像形成装置Ｄは、原稿の画像を読み取る原稿読取装置Ｂと、この原稿読取装置Ｂにより読み取られた原稿の画像データ、或いは、外部から受信した画像データをカラーもしくは単色で普通紙等の記録シートに記録形成する装置本体Ａとを備えている。
【００４４】
この原稿読取装置Ｂは、原稿固定読取構成と原稿移動読取構成とを備えている。前記原稿固定読取構成は、原稿台ガラス６１上に載置される原稿を第１走査部５３により該原稿台ガラス６１を介して照明し、該第１走査部５３を第２走査部５４と共に副走査方向に移動させつつ該第１走査部５３により照明された原稿からの反射光を主走査方向に走査して原稿画像をＣＣＤ（Charge Coupled Device）等を含む撮像部５６で読み取るものである。前記原稿移動読取構成は、自動原稿送り装置Ｂ１で原稿読取ガラス５２上を通過するように副走査方向に搬送される原稿を定位置に位置する第１走査部５３にて該原稿読取ガラス５２を介して照明し、かつ、該第１走査部５３により照明された原稿からの反射光を主走査方向に走査して原稿画像を撮像部５６で読み取るものである。
【００４５】
こうして読み取られた画像データ、或いは、外部から受信した画像データは、画像形成装置Ｄの装置本体Ａへと送受され、装置本体Ａにおいて画像が記録シートに記録される。
【００４６】
画像形成装置Ｄの装置本体Ａは、光学走査装置１、現像装置２（２ａ，２ｂ，２ｃ，２ｄ）、被走査体として作用する感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、転写部として作用する中間転写ローラ６（６ａ，６ｂ，６ｃ，６ｄ）を含む中間転写ベルト装置８、定着装置１２、シート搬送装置１８、給紙部として作用する給紙トレイ１０及び排紙部として作用するシート排紙トレイ１５を備えている。
【００４７】
画像形成装置Ｄの装置本体Ａにおいて扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、中間転写ローラ６（６ａ，６ｂ，６ｃ，６ｄ）は各色に応じた４種類の画像を形成するようにそれぞれ４個ずつ設けられ、それぞれの末尾符号ａ〜ｄのうち、ａがブラックに、ｂがシアンに、ｃがマゼンタに、ｄがイエローに対応付けられて、４つの画像ステーションが構成されている。以下、末尾符号ａ〜ｄは省略して説明することがある。
【００４８】
感光体ドラム３は、装置本体Ａの上下方向のほぼ中央に配置されている。帯電器５は、感光体ドラム３の表面を所定の電位に均一に帯電させるための帯電手段であり、接触型であるローラ型やブラシ型の帯電器のほか、チャージャ型の帯電器が用いられる。
【００４９】
光学走査装置１は、ここでは、レーザスキャニングユニット（ＬＳＵ）であり、帯電された感光体ドラム３表面を画像データに応じて露光して、その表面に画像データに応じた静電潜像を形成する。この光学走査装置１については、のちほど詳しく説明する。
【００５０】
現像装置２は、感光体ドラム３上に形成された静電潜像を（Ｋ，Ｃ，Ｍ，Ｙ）のトナーにより現像する。クリーナ装置４は、現像及び画像転写後に感光体ドラム３表面に残留したトナーを除去及び回収する。
【００５１】
感光体ドラム３の上方に配置されている中間転写ベルト装置８は、中間転写ローラ６に加えて、中間転写体として作用する中間転写ベルト７、中間転写ベルト駆動ローラ２１、従動ローラ２２、テンションローラ２３及び中間転写ベルトクリーニング装置９を備えている。
【００５２】
中間転写ベルト駆動ローラ２１、中間転写ローラ６、従動ローラ２２、テンションローラ２３等のローラ部材は、中間転写ベルト７を張架して支持し、中間転写ベルト７を所定の搬送方向（図中矢印Ｃ方向）に周回移動させる。
【００５３】
中間転写ローラ６は、中間転写ベルト７内側に回転可能に支持され、中間転写ベルト７を介して感光体ドラム３に圧接されており、感光体ドラム３のトナー像を中間転写ベルト７に転写するための転写バイアスが印加される。
【００５４】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルト７は、ここでは、厚さ１００μｍ〜１５０μｍ程度のフィルムを用いて無端ベルト状に形成されている。
【００５５】
感光体ドラム３から中間転写ベルト７へのトナー像の転写は、中間転写ベルト７内側（裏面）に圧接されている中間転写ローラ６によって行われる。中間転写ローラ６には、トナー像を転写するために高電圧の転写バイアス（例えば、トナーの帯電極性（−）とは逆極性（＋）の高電圧）が印加される。中間転写ローラ６は、ここでは、直径８〜１０ｍｍの金属（例えばステンレス）軸をベースとし、その表面は、導電性の弾性材（例えばＥＰＤＭ、発泡ウレタン等）により覆われたローラである。この導電性の弾性材により、記録シートに対して均一に高電圧を印加することができる。
【００５６】
画像形成装置Ｄの装置本体Ａは、転写部として作用する転写ローラ１１ａを含む２次転写装置１１をさらに備えている。転写ローラ１１ａは、中間転写ベルト７の中間転写ベルト駆動ローラ２１とは反対側（外側）に接触している。
【００５７】
上述の様に各感光体ドラム３表面のトナー像は、中間転写ベルト７で積層され、画像データによって示されるカラーのトナー像となる。このように積層された各色のトナー像は、中間転写ベルト７と共に搬送され、２次転写装置１１によって記録シート上に転写される。
【００５８】
中間転写ベルト７と２次転写装置１１の転写ローラ１１ａとは、相互に圧接されてニップ域を形成する。また、２次転写装置１１の転写ローラ１１ａには、中間転写ベルト７上の各色のトナー像を記録シートに転写させるための電圧（例えば、トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラや発泡性樹脂ローラ等）としている。
【００５９】
また、２次転写装置１１によって中間転写ベルト７上のトナー像が記録シート上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、 例えばクリーニング部材として中間転写ベルト７に接触するクリーニングブレードが備えられており、このクリーニングブレードで残留トナーを除去及び回収することができる。従動ローラ２２は、中間転写ベルト７を内側（裏側）から支持しており、クリーニングブレードは、外側から従動ローラ２２に向けて押圧するように中間転写ベルト７に接触している。
【００６０】
給紙トレイ１０は、記録シートを格納しておくためのトレイであり、装置本体Ａの画像形成部の下側に設けられている。また、画像形成部の上側に設けられているシート排紙トレイ１５は、印刷済みの記録シートをフェイスダウンで載置するためのトレイである。
【００６１】
また、装置本体Ａには、給紙トレイ１０の記録シートを２次転写装置１１や定着装置１２を経由させてシート排紙トレイ１５に送るためのシート搬送装置１８が設けられている。このシート搬送装置１８は、Ｓの字形状のシート搬送路Ｓを有し、このシート搬送路Ｓに沿って、ピックアップローラ１６、各搬送ローラ１３、レジスト前ローラ１９、レジストローラ１４、定着装置１２及び排紙ローラ１７等の搬送部材を配置したものである。
【００６２】
ピックアップローラ１６は、給紙トレイ１０のシート搬送方向下流側端部に設けられ、給紙トレイ１０から記録シートを１枚ずつシート搬送路Ｓに供給する呼び込みローラである。各搬送ローラ１３及びレジスト前ローラ１９は、記録シートの搬送を促進補助するための小型のローラである。各搬送ローラ１３は、シート搬送路Ｓに沿って複数箇所に設けられている。レジスト前ローラ１９は、レジストローラ１４のシート搬送方向上流側の直近に設けられており、記録シートをレジストローラ１４へと搬送するようになっている。
【００６３】
レジストローラ１４は、レジスト前ローラ１９にて搬送されてきた記録シートを一旦停止させて、記録シートの先端を揃え、中間転写ベルト７と２次転写装置１１間のニップ域で中間転写ベルト７上のカラートナー像が記録シートに転写されるように、感光体ドラム３及び中間転写ベルト７の回転にあわせて、記録シートをタイミングよく搬送する。
【００６４】
例えば、レジストローラ１４は、中間転写ベルト７と２次転写装置１１との間のニップ域で中間転写ベルト７上のカラートナー像の先端が記録シートにおける画像形成範囲の先端に合うように、記録シートを搬送する。
【００６５】
定着装置１２は、ヒートローラ３１及び加圧ローラ３２を備えている。ヒートローラ３１及び加圧ローラ３２は、記録シートを挟み込んで搬送する。
【００６６】
また、ヒートローラ３１は、図示しない温度検出器の検出出力に基づき、図示しない制御手段によって所定の定着温度となるように温度制御され、加圧ローラ３２と共に記録シートを熱圧着することにより、記録シートに転写されたトナー像を溶融、混合、圧接し、記録シートに対して熱定着させる機能を有している。
【００６７】
各色のトナー像の定着後での記録シートは、排紙ローラ１７によってシート排紙トレイ１５上に排出される。
【００６８】
なお、４つの画像形成ステーションのうち少なくとも一つを用いて、モノクロ画像を形成し、モノクロ画像を中間転写ベルト装置８の中間転写ベルト７に転写することも可能である。このモノクロ画像も、カラー画像と同様に、中間転写ベルト７から記録シートに転写され、記録シート上定着される。
【００６９】
また、記録シートの表（オモテ）面だけではなく、両面の画像形成を行う場合は、記録シートの表面の画像を定着装置１２により定着した後に、記録シートをシート搬送路Ｓの排紙ローラ１７により搬送する途中で、排紙ローラ１７を停止させてから逆回転させ、記録シートを表裏反転経路Ｓｒに通して、記録シートの表裏を反転させてから、記録シートを再びレジストローラ１４へと導き、記録シートの表面と同様に、記録シートの裏面に画像を記録して定着し、記録シートをシート排紙トレイ１５に排出する。
【００７０】
［光学走査装置の構成］
次に、本発明の実施形態に係る光学走査装置１について、図２及び図３を参照しながら説明する。なお、図１から図３において、後述する光学部材１００等は、図示を省略している。
【００７１】
図２は、図１に示す光学走査装置１を詳細に示す斜視図である。また、図３は、図１に示す画像形成装置Ｄにおける光学走査装置１を感光体ドラム３ａ，３ｂ，３ｃ，３ｄとの位置関係と共に示す図であって、図３（ａ）は、該光学走査装置１の概略平面図を示しており、図３（ｂ）は、該光学走査装置１の概略側面図を示している。
【００７２】
本実施の形態に係る光学走査装置１は、複数の（ここでは４個の）レーザ光源７１ｃ，７１ｂ，７１ｄ，７１ａを含む光源部９０と、該各レーザ光源７１ｃ，７１ｂ，７１ｄ，７１ａから出射されるレーザビーム（光ビームの一例）Ｌｍ，Ｌｃ，Ｌｙ，Ｌｋをそれぞれ主走査方向（図中矢印Ｘ方向）に走査する単一の回転多面鏡（以下、ポリゴンミラーという）７４と、該ポリゴンミラー７４で主走査方向Ｘに走査される各レーザビームＬｍ，Ｌｃ，Ｌｙ，Ｌｋをそれぞれ被走査体の被走査面（ここでは、感光体ドラム３ｃ，３ｂ，３ｄ，３ａの表面３ｆ）上に結像させるｆθレンズを含む結像光学系８０とを備えている。なお、図３（ｂ）において光源部９０は図示を省略している。
【００７３】
レーザ光源７１ｃ，７１ｂ，７１ｄ，７１ａは、それぞれ、マゼンタ（Ｍ）、シアン（Ｃ）、イエロー（Ｙ）、ブラック（Ｋ）の各色に対応する第１から第４レーザビームＬｍ，Ｌｃ，Ｌｙ，Ｌｋを出射するものであり、ここでは、レーザダイオードとされている。
【００７４】
光源部９０は、さらに、コリメートレンズ９１ｃ，９１ｂ，９１ｄ，９１ａと、反射ミラー７２ｂと、複数の（ここでは３個の）ハーフミラー７２ｃ，７２ｄ，７２ａと、シリンドリカルレンズ９２と、反射ミラー７３とを備えている。なお、レーザ光源７１ｃは、第１レーザビームＬｍをコリメートレンズ９１ｃ及びハーフミラー７２ｃを介してシリンドリカルレンズ９２へ出射するようになっている。
【００７５】
コリメートレンズ９１ｃ，９１ｂ，９１ｄ，９１ａは、それぞれ、レーザ光源７１ｃ，７１ｂ，７１ｄ，７１ａからの第１から第４レーザビームＬｍ，Ｌｃ，Ｌｙ，Ｌｋを略平行な光束にするものである。
【００７６】
反射ミラー７２ｂは、コリメートレンズ９１ｂからの第２レーザビームＬｃをハーフミラー７２ｃへハーフミラー７２ａ，７２ｄを介して導くようになっている。
【００７７】
ハーフミラー７２ａは、コリメートレンズ９１ａから第４レーザビームＬｋをハーフミラー７２ｃへハーフミラー７２ｄを介して導くと共に反射ミラー７２ｂからの第２レーザビームＬｃを透過するようになっている。
【００７８】
ハーフミラー７２ｄは、コリメートレンズ９１ｄから第３レーザビームＬｙをハーフミラー７２ｃへ導くと共にハーフミラー７２ａからの第２及び第４レーザビームＬｃ，Ｌｋをそれぞれ透過するようになっている。
【００７９】
ハーフミラー７２ｃは、コリメートレンズ９１ｃからの第１レーザビームLｍを透過すると共にハーフミラー７２ｄからの第２、第４及び第３レーザビームＬｃ，Ｌｋ，Ｌｙをシリンドリカルレンズ９２へ導くようになっている。
【００８０】
シリンドリカルレンズ９２は、ハーフミラー７２ｃからの第１から第４レーザビームＬｍ，Ｌｃ，Ｌｙ，Ｌｋの光束を副走査方向（図中矢印Ｙ方向）にのみ収束させるように補正するものである。
【００８１】
また、反射ミラー７３は、反射面７３ｆがポリゴンミラー７４の回転軸線方向（図中矢印Ｚ方向）と平行になっており、シリンドリカルレンズ９２からの第１から第４レーザビームＬｍ，Ｌｃ，Ｌｙ，Ｌｋをポリゴンミラー７４の反射面７４ｆに向けて導くようになっている。
【００８２】
ポリゴンミラー７４は、正多角形柱状（ここでは正八角形柱状）のものであって、所定方向（図中矢印Ｆ方向）に軸線回りに回転するようになっている。詳しくは、ポリゴンミラー７４は、図示しない回転駆動手段によって一定の高速度で回転駆動されるようになっている。ポリゴンミラー７４は、その各周面のミラー（反射面）７４ｆが回転軸線方向Ｚと平行になっており、この反射面７４ｆにより第１から第４レーザビームＬｍ，Ｌｃ，Ｌｙ，Ｌｋを反射しつつ主走査方向Ｘに繰り返し走査するようになっている。
【００８３】
結像光学系８０は、第１ｆθレンズ７５と、複数の（ここでは４個の）反射ミラー系７６ｃ，７６ｂ，７６ｄ，７６ａと、複数の（ここでは４個の）第２ｆθレンズ７７ｃ，７７ｂ，７７ｄ，７７ａとを備えている。これらの光学要素は、主走査方向Ｘに繰り返し走査される第１から第４レーザビームＬｍ，Ｌｃ，Ｌｙ，Ｌｋを反射或いは屈折させるため、主走査方向Ｘに長くされかつ主走査方向Ｘに直交する方向で短くされた棒状に形成されており、それらの両端が筐体８１に支持されている。
【００８４】
第１ｆθレンズ７５及び第２ｆθレンズ７７ｃ，７７ｂ，７７ｄ，７７ａは、ポリゴンミラー７４の反射面７４ｆで反射されて等角速度で移動する第１から第４レーザビームＬｍ，Ｌｃ，Ｌｙ，Ｌｋを感光体ドラム３ｃ，３ｂ，３ｄ，３ａの表面３ｆ上を等速度で移動するように補正するものである。
【００８５】
第１ｆθレンズ７５は、ポリゴンミラー７４の反射面４ｆからの第１から第４レーザビームＬｍ，Ｌｃ，Ｌｙ，Ｌｋを屈折させるものであり、ポリゴンミラー７４と、反射ミラー系７６ｃ，７６ｂ，７６ｄ，７６ａとの間の光路上に設けられている。
【００８６】
第２ｆθレンズ７７ｃ，７７ｂ，７７ｄ，７７ａは、反射ミラー系７６ｃ，７６ｂ，７６ｄ，７６ａからの第１から第４レーザビームＬｍ，Ｌｃ，Ｌｙ，Ｌｋをそれぞれ個別に屈折させるものであり、感光体ドラム３ｃ，３ｂ，３ｄ，３ａと、反射ミラー系７６ｃ，７６ｂ，７６ｄ，７６ａとの間の光路上に設けられている。
【００８７】
反射ミラー系７６ｃ，７６ｂ，７６ｄ，７６ａは、第１ｆθレンズ７５を通過した第１から第４レーザビームＬｍ，Ｌｃ，Ｌｙ，Ｌｋを個別に反射するものである。
【００８８】
反射ミラー系７６ｃは、第１及び第２反射ミラー７６１ｃ，７６２ｃを備えている。第１反射ミラー７６１ｃは、第１ｆθレンズ７５からの第１レーザビームＬｍを第２反射ミラー７６２ｃに導くようになっている。第２反射ミラー７６２ｃは、第１反射ミラー７６１ｃからの第１レーザビームＬｍを第２ｆθレンズ７７ｃに導くようになっている。
【００８９】
反射ミラー系７６ｂは、第１及び第２反射ミラー７６１ｂ，７６２ｂを備えている。第１反射ミラー７６１ｂは、第１ｆθレンズ７５からの第２レーザビームＬｃを第２反射ミラー７６２ｂに導くようになっている。第２反射ミラー７６２ｂは、第１反射ミラー７６１ｂからの第２レーザビームＬｃを第２ｆθレンズ７７ｂに導くようになっている。
【００９０】
反射ミラー系７６ｄは、第１及び第２反射ミラー７６１ｄ，７６２ｄを備えている。第１反射ミラー７６１ｄは、第１ｆθレンズ７５からの第３レーザビームＬｙを第２反射ミラー７６２ｄに導くようになっている。第２反射ミラー７６２ｄは、第１反射ミラー７６１ｄからの第３レーザビームＬｙを第２ｆθレンズ７７ｄに導くようになっている。
【００９１】
反射ミラー系７６ａは、反射ミラー７６１ａを備えている。反射ミラー７６１ａは、第１ｆθレンズ７５からの第４レーザビームＬｋを第２ｆθレンズ７７ａに導くようになっている。
【００９２】
この光学走査装置１では、画像情報に基づく書き込み動作が行われるにあたり、レーザ光源７１ｃから出射されてコリメートレンズ９１ｃを通過したマゼンタに対応する第１レーザビームＬｍは、ハーフミラー７２ｃを透過し、シリンドリカルレンズ９２を経て反射ミラー７３で反射され、ポリゴンミラー７４の反射面７４ｆで反射されて主走査方向Ｘに走査される。ポリゴンミラー７４で走査された第１レーザビームＬｍは、さらに第１ｆθレンズ７５を通過して、反射ミラー７６１ｃ，７６２ｃで反射され、第２ｆθレンズ７７ｃを通過して、マゼンタに対応する感光体ドラム３ｃに入射する。
【００９３】
レーザ光源７１ｂから出射されてコリメートレンズ９１ｂを通過したシアンに対応する第２レーザビームＬｃは、反射ミラー７２ｂで反射されて、ハーフミラー７２ａ，７２ｄを順次透過し、さらに、ハーフミラー７２ｃで反射され、シリンドリカルレンズ９２を経て反射ミラー７３で反射され、ポリゴンミラー７４の反射面７４ｆで反射されて主走査方向Ｘに走査される。ポリゴンミラー７４で走査された第２レーザビームＬｃは、さらに第１ｆθレンズ７５を通過して、反射ミラー７６１ｂ，７６２ｂで反射され、第２ｆθレンズ７７ｂを通過して、シアンに対応する感光体ドラム３ｂに入射する。
【００９４】
レーザ光源７１ｄから出射されてコリメートレンズ９１ｄを通過したイエローに対応する第３レーザビームＬｙは、ハーフミラー７２ｄ，７２ｃで反射され、シリンドリカルレンズ９２を経て反射ミラー７３で反射され、ポリゴンミラー７４の反射面７４ｆで反射されて主走査方向Ｘに走査される。ポリゴンミラー７４で走査された第３レーザビームＬｙは、さらに第１ｆθレンズ７５を通過して、反射ミラー７６１ｄ，７６２ｄで反射され、第２ｆθレンズ７７ｄを通過して、イエローに対応する感光体ドラム３ｄに入射する。
【００９５】
レーザ光源７１ａから出射されてコリメートレンズ９１ａを通過したブラックに対応する第４レーザビームＬｋは、ハーフミラー７２ａで反射され、ハーフミラー７２ｄを透過し、さらに、ハーフミラー７２ｃで反射され、シリンドリカルレンズ９２を経て反射ミラー７３で反射され、ポリゴンミラー７４の反射面７４ｆで反射されて主走査方向Ｘに走査される。ポリゴンミラー７４で走査された第４レーザビームＬｋは、さらに第１ｆθレンズ７５を通過して、反射ミラー７６１ａで反射され、第２ｆθレンズ７７ａを通過して、ブラックに対応する感光体ドラム３ａに入射する。
【００９６】
先に述べたように感光体ドラム３ｃ，３ｂ，３ｄ，３ａは、矢印方向に回転駆動されており、主走査方向Ｘに繰り返し走査されるそれぞれの第１から第４レーザビームＬｍ，Ｌｃ，Ｌｙ，Ｌｋが照射されると、感光体ドラム３ｃ，３ｂ，３ｄ，３ａの表面３ｆにそれぞれマゼンタ、シアン、イエロー及びブラックに対応する静電潜像が形成される。感光体ドラム３ｃ，３ｂ，３ｄ，３ａの表面３ｆの静電潜像は、それぞれ現像されてトナー像となり、これらのトナー像が中間転写ベルト７を介して記録シートに重ねて転写され、記録シート上でカラーのトナー像となる。
【００９７】
［第１実施形態］
図４は、本発明の第１実施形態に係る光学走査装置１（１ａ）の概略構成を感光体ドラム３と共に示す平面図である。また、図５は、本発明の第１実施形態に係る光学走査装置１（１ａ）の概略構成を感光体ドラム３と共に示す側面図である。なお、図４及び図５では、４個のレーザ光源７１ｃ，７１ｂ，７１ｄ，７１ａのうちの一つと、それに対応する一つ感光体ドラム及び第２ｆθレンズとに代表させて示している。よって、以下の説明では、レーザ光源７１ｃ，７１ｂ，７１ｄ，７１ａ、感光体ドラム３ｃ，３ｂ，３ｄ，３ａ及び第２ｆθレンズ７７ｃ，７７ｂ，７７ｄ，７７ａの末尾符号ａ〜ｄ、レーザビームＬｍ，Ｌｃ，Ｌｙ，Ｌｋの末尾符号ｍ〜ｋは省略する。また、図４において、反射ミラー等は図示を省略している。また、図４において、符号Ｑは感光体ドラム３の表面３ｆの印刷（画像形成）領域を示し、符号Ｑ１はレーザビームＬによる印刷開始位置を示し、符号Ｑ２はレーザビームＬによる印刷終了位置を示している。このことは、後述する第２実施形態から第５実施形態の図９から図１２についても同様である。
【００９８】
図４及び図５に示す光学走査装置１（１ａ）は、レーザビームＬを発光するレーザ光源７１と、レーザ光源７１からの照射方向（図中矢印Ｇ）のレーザビームＬを主走査方向Ｘに走査するポリゴンミラー７４と、ポリゴンミラー７４により主走査方向Ｘに走査されるレーザビームＬを感光体ドラム３に結像する第１ｆθレンズ７５及び第２ｆθレンズ７７を含む結像光学系８０とを備えている。
【００９９】
そして、光学走査装置１（１ａ）は、レーザ光源７１からの照射方向Ｇに進むレーザビームＬを透過する一方、照射方向Ｇに進むレーザビームＬが該レーザビームＬを反射する反射対象物（例えば、ｆθレンズ７５，７７や感光体ドラム３）に反射してポリゴンミラー７４に戻る反射光（戻り光）を遮光する光学部材１００をさらに備えている。
【０１００】
また、光学部材１００のかかる構成を容易に実現するという観点から、光学部材１００は、照射方向Ｇに進むレーザビームＬにおける一方向の直線偏光を構成する複数の成分（ここでは一方向の直線偏光を構成する二つの成分）のみを通過させる第１機能と、前記第１機能により通過した後の光が該第１機能により通過しないように該複数の成分の間で位相差を生じさせる第２機能とを備えている。
【０１０１】
具体的には、光学部材１００は、照射方向Ｇに進むレーザビームＬにおける一方向の直線偏光を構成する二つ成分のみを通過させる第１部材（ここでは偏光子として作用する偏光板）１１０と、偏光板１１０を通過したレーザビームＬが円偏光を示すように該レーザビームの偏光方向角度を変える第２部材（ここでは１／４波長板）１２０とを備えている。そして、偏光板１１０及び１／４波長板１２０の双方は、ポリゴンミラー７４と感光体ドラム３との間においてレーザビームＬの光路上に照射方向Ｇに向けてこの順で配置されている。
【０１０２】
この光学走査装置１（１ａ）では、ポリゴンミラー７４で主走査方向Ｘに走査されるレーザビームＬは、光学部材１００を通過し、結像光学系８０を経て感光体ドラム３に照射される。この過程において、ポリゴンミラー７４からのレーザビームＬが結像光学系８０のｆθレンズ７５，７７等の反射対象物に照射されることにより、一部の光がｆθレンズ７５，７７のレンズ面７５ｆ、７７ｆ等の正反射面で正反射することがある。また、ポリゴンミラー７４からのレーザビームＬが反射対象物として作用する感光体ドラム３の表面３ｆに照射されることにより、正反射することもある。しかし、光学部材１００は、ポリゴンミラー７４で主走査方向Ｘに走査されて照射方向Ｇに進むレーザビームＬが反射対象物に反射してポリゴンミラー７４に戻る反射光（戻り光）、特に、照射方向Ｇに進むレーザビームＬが感光体ドラム３に照射される過程で反射対象物に正反射することがある正反射光Ｌ１を遮断することができる。これにより、該反射光（戻り光）のポリゴンミラー７４への再反射を回避でき、ひいては該反射光（戻り光）に起因する迷光の発生を効果的に防止することが可能となる。しかも、従来構成の如く、結像光学系８０を構成するｆθレンズ７５，７７等の反射対象物を傾けなくてもよいので、光学性能を犠牲にすることはない。
【０１０３】
なお、図４において、レーザビームＬが、ポリゴンミラー７４から偏光板１１０に移行する過程を第１過程Ｐ１とし、偏光板１１０から１／４波長板１２０に移行する過程を第２過程Ｐ２とし、１／４波長板１２０から結像光学系８０を経て感光体ドラム３に移行する過程を第３過程Ｐ３としている。また、正反射光Ｌ１が、感光体ドラム３や結像光学系８０等の反射対象部材から１／４波長板１２０に移行する過程を第４過程Ｐ４とし、１／４波長板１２０から偏光板１１０に移行する過程を第５過程Ｐ５としている。
【０１０４】
図６及び図７は、何れも図４及び図５に示す光学走査装置１（１ａ）における光学部材１００の動作原理を説明するための図である。図６（ａ）から図６（ｃ）は、それぞれ、第１過程Ｐ１から第３過程Ｐ３におけるレーザビームＬの偏光状態を示している。図７（ａ）及び図７（ｂ）は、それぞれ、第４過程Ｐ４及び第５過程Ｐ５におけるレーザビームＬの偏光状態を示している。なお、図６及び図７において、符号Ｖは垂直軸方向を示し、符号Ｈは水平軸方向を示し、符号Ｅは偏光方向を示している。
【０１０５】
また、図８は、図４及び図５に示す光学走査装置１（１ａ）における照射方向Ｇに沿った各隣り合う構成要素間でのレーザビームＬ及び正反射光Ｌ１の偏光状態を示す模式図である。
【０１０６】
（第１過程Ｐ１）
レーザ光源７１は、レーザビームＬが一方向の直線偏光を構成する成分を有している。この第１過程Ｐ１では、一方向の直線偏光を構成する成分を有するレーザビームＬは、図８の第１過程Ｐ１に示すように、ポリゴンミラー７４で主走査方向Ｘに走査されて偏光板１１０に照射される。
【０１０７】
ここでは、レーザビームＬは、図６（ａ）に示すように、互いに同一波長でかつ同期した垂直方向成分Ｌｖ及び水平方向成分Ｌｈを含んでいる。
【０１０８】
（第２過程Ｐ２）
偏光板１１０は、ポリゴンミラー７４で主走査方向Ｘに走査されたレーザビームＬの一方向の直線偏光を構成する二つの成分のみを通すように配置されている。この第２過程Ｐ２では、ポリゴンミラー７４からのレーザビームＬが偏光板１１０に照射されると、図８の第２過程Ｐ２に示すように、一方向の直線偏光を構成する二つの成分のみが１／４波長板１２０へ向けて偏光板１１０を通過する。
【０１０９】
ここでは、レーザビームＬは、図６（ｂ）に示すように、垂直方向成分Ｌｖ及び水平方向成分Ｌｈのみが１／４波長板１２０へ向けて偏光板１１０を通過する。
【０１１０】
このように、偏光板１１０を通過したレーザビームＬは、垂直方向成分Ｌｖ及び水平方向成分Ｌｈが互いに同一波長でかつ同期しているので、第２過程Ｐ２において一方向の直線偏光を示す。
【０１１１】
（第３過程Ｐ３）
１／４波長板１２０は、偏光板１１０を通過した直線偏光を示すレーザビームＬが円偏光を示すように、該レーザビームＬの偏光方向角度を変えるものである。この第３過程Ｐ３では、偏光板１１０からの直線偏光を示すレーザビームＬが１／４波長板１２０に照射されると、図８の第３過程Ｐ３に示すように、円偏光を示すレーザビームＬとなり、結像光学系８０へ向けて１／４波長板１２０を通過する。
【０１１２】
ここでは、レーザビームＬは、図６（ｃ）に示すように、１／４波長板１２０を通過するときに、垂直方向成分Ｌｖと水平方向成分Ｌｈとの間で位相が９０度ずれる。
【０１１３】
このように、１／４波長板１２０を通過したレーザビームＬは、垂直方向成分Ｌｖと水平方向成分Ｌｈとの間で位相が９０度ずれており、つまり９０度の位相差θ１が生じているので、第３過程Ｐ３において円偏光を示す。
【０１１４】
（第４過程Ｐ４）
１／４波長板１２０を通過した円偏光を示すレーザビームＬは、図８の第４過程Ｐ４に示すように、感光体ドラム３に照射される過程でｆθレンズ７５，７７や感光体ドラム３等の反射対象物に正反射することがあり、その正反射光Ｌ１は、図７（ａ）に示すように、第４過程Ｐ４において円偏光のままである。
【０１１５】
（第５過程Ｐ５）
この第５過程Ｐ５では、ｆθレンズ７５，７７や感光体ドラム３等の反射対象物からの円偏光を示す正反射光Ｌ１が１／４波長板１２０に照射されると、図８の第５過程Ｐ５に示すように、前記一方向（つまり偏光板１１０の方位）と直交する直線偏光を示す正反射光Ｌ１となり、偏光板１１０へ向けて１／４波長板１２０を通過する。
【０１１６】
ここでは、正反射光Ｌ１は、図７（ｂ）に示すように、１／４波長板１２０を通過するときに、垂直方向成分Ｌｖと水平方向成分Ｌｈとの間で位相がさらに９０度ずれる。
【０１１７】
このように、１／４波長板１２０を通過した正反射光Ｌ１は、垂直方向成分Ｌｖと水平方向成分Ｌｈとの間で位相がさらに９０度ずれており、つまり１８０度の位相差θ２が生じているので、第５過程Ｐ５において前記一方向と直交する直線偏光を示す。
【０１１８】
そして、１／４波長板１２０からの前記一方向と直交する直線偏光を示す正反射光Ｌ１が偏光板１１０に照射されるが、偏光板１１０は、既述のとおり、前記一方向の直線偏光を構成する成分のみを通すように配置されているので、前記一方向と直交する方向の直線偏光を示す正反射光Ｌ１の偏光板１１０への通過を阻止することができる。これにより、該正反射光Ｌ１等の反射光（戻り光）のポリゴンミラー７４への再反射を回避でき、ひいては該反射光（戻り光）に起因する迷光の発生を効果的に防止することが可能となる。
【０１１９】
本第１実施形態では、偏光板１１０及び１／４波長板１２０は、ポリゴンミラー７４と感光体ドラム３との間においてポリゴンミラー７４の近傍に設けられている。ここでは、偏光板１１０及び１／４波長板１２０の双方は、ポリゴンミラー７４と第１ｆθレンズ７５との間、好ましくは、ポリゴンミラー７４の近傍に、ポリゴンミラー７４に近い順から配置されている。
【０１２０】
この構成では、偏光板１１０及び１／４波長板１２０がポリゴンミラー７４に近ければ近い程、ポリゴンミラー７４によるレーザビームＬの感光体ドラム３への走査領域α（図４参照）が狭くなるため、それだけ長い偏光板１１０及び１／４波長板１２０を必要とせず、安価に迷光を防止することが可能となる。また、偏光板１１０及び１／４波長板１２０がポリゴンミラー７４に近ければ近い程、偏光板１１０及び１／４波長板１２０の長さに余裕を持たせやすくでき、これにより、結像光学系８０のｆθレンズ７５，７７や感光体ドラム３からの正反射光Ｌ１だけでなく、該正反射光Ｌ１以外の光も効率よく遮断することができる。
【０１２１】
本第１実施形態では、偏光板１１０及び１／４波長板１２０の双方は、ポリゴンミラー７４と感光体ドラム３との間において、ポリゴンミラー７４からのレーザビームＬの感光体ドラム３への走査領域αよりも外側まで設けられている。
【０１２２】
このように、偏光板１１０及び１／４波長板１２０の双方が走査領域αよりも外側まで設けられていることで、結像光学系８０及び／又は感光体ドラム３からの正反射光Ｌ１等の反射光（戻り光）を確実に遮断することが可能となる。
【０１２３】
本第１実施形態では、ポリゴンミラー７４と第１ｆθレンズ７５との間に偏光板１１０及び１／４波長板１２０の双方を設けるが、結像光学系８０の照射方向Ｇに沿った各隣り合う構成要素間の何れか（例えば第１ｆθレンズ７５と第２ｆθレンズ７７との間）や、結像光学系８０と感光体ドラム３との間（例えば第２ｆθレンズ２と感光体ドラム３との間）に偏光板１１０及び１／４波長板１２０の双方を設けてもよい。或いは、ポリゴンミラー７４と結像光学系８０との間（例えばポリゴンミラー７４と第１ｆθレンズ７５との間）に偏光板１１０を設け、かつ、結像光学系８０の照射方向Ｇに沿った各隣り合う構成要素間の何れか（例えば第１ｆθレンズ７５と第２ｆθレンズ７７との間）に１／４波長板１２０を設けてもよい。
【０１２４】
［第２実施形態］
図９は、本発明の第２実施形態に係る光学走査装置１（１ｂ）の概略構成を感光体ドラム３と共に示す平面図である。
【０１２５】
図９に示す光学走査装置１（１ｂ）は、図４及び図５に示す光学走査装置１（１ａ）において、水平同期信号出力手段として作用するビーム検知（ＢＤ：Ｂｅａｍ  Ｄｅｔｅｃｔ）センサ１３１と、反射手段として作用するＢＤセンサ用ミラー１３２とを備え、偏光板１１０及び１／４波長板１２０を長くしたものである。
【０１２６】
図９において、図４及び図５に示す光学走査装置１（１ａ）と実質的に同じ構成要素には同一符号を付し、その説明を省略する。
【０１２７】
ＢＤセンサ１３１は、ポリゴンミラー７４の反射面７４ｆで主走査方向Ｘに走査されるレーザビームＬを検出して主走査方向ＸにおけるレーザビームＬの走査位置の同期を取るための水平同期信号を出力するものである。
【０１２８】
ＢＤセンサ用ミラー１３２は、ポリゴンミラー７４の反射面７４ｆからのレーザビームＬを反射してＢＤセンサ１３１に導くものである。
【０１２９】
光学走査装置１（１ｂ）は、レーザ光源７１からのレーザビームＬをポリゴンミラー７４によって主走査方向Ｘに走査し、該ポリゴンミラー７４からのレーザビームＬをＢＤセンサ１３１で検知することにより走査位置を検出しつつ感光体ドラム３の表面３ｆに照射するようになっている。すなわち、ポリゴンミラー７４からのレーザビームＬをＢＤセンサ１３１へ出射する水平同期出射領域β１よりも余裕を持たせた領域βが形成される。
【０１３０】
ＢＤセンサ１３１は、感光体ドラム３におけるレーザビームＬの印刷開始位置Ｑ１よりも主走査方向Ｘの外側（水平同期出射領β１の外端）に位置するレーザビームＬを感知して、主走査方向ＸのレーザビームＬの走査位置の同期を取るための水平同期信号であるＢＤ信号を出力する。
【０１３１】
このＢＤセンサ１３１は、レーザビームＬを反射するＢＤセンサ用ミラー１３２を用いることで、例えば、ポリゴンミラー７４からＢＤセンサ１３１の受光面１３１ａまでの光路長がポリゴンミラー７４から感光体ドラム３の表面３ｆまでの光路長と同じ光路長となるように配置されている。ＢＤセンサ１３１が設けられているため、ポリゴンミラー７４によって主走査方向Ｘに走査されるレーザビームＬの走査領域は、感光体ドラム３上に走査される走査領域αに加え、ＢＤセンサ１３１の受光面１３１ａを基準にして主走査方向Ｘの前後の所定領域を含んだ領域βが必要である。なお、レーザビームＬの走査領域として、ＢＤセンサ１３１の受光面１３１ａを基準にして主走査方向Ｘの前後の所定領域が必要なのは、ＢＤセンサ１３１の取り付け誤差を考慮して、ＢＤセンサ１３１が最大誤差で取り付けられても、レーザ光源７１において、所定光強度のレーザビームＬが、ＢＤセンサ１３１の受光面１３１ａに入射する前に発光している必要があるからである。
【０１３２】
ＢＤセンサ１３１は、レーザ光源７１からのレーザビームＬが、回転するポリゴンミラー７４の反射面７４ｆに入射し、該反射面７４ｆから反射して主走査方向Ｘに走査され、さらにＢＤセンサ用ミラー１３２を反射したレーザビームＬを入射するようになっている。これにより、ＢＤセンサ１３１は、レーザビームＬを入射するタイミングを検知することができる。
【０１３３】
ＢＤセンサ用ミラー１３２は、レーザ光源７１からポリゴンミラー７４を経て反射されるレーザビームＬの光路上に設けられている。
【０１３４】
この光学走査装置１（１ｂ）では、レーザ光源７１からポリゴンミラー７４を経て結像光学系８０の一部（ここでは第１ｆθレンズ７５）を通過するレーザビームＬをＢＤセンサ１３１に導くことができる。
【０１３５】
そして、偏光板１１０及び１／４波長板１２０の双方は、ポリゴンミラー７４と感光体ドラム３との間において、ポリゴンミラー７４からのレーザビームＬをＢＤセンサ１３１へ出射する水平同期出射領域β１よりも外側まで設けられている。
【０１３６】
詳しくは、ＢＤセンサ１３１の受光面１３１ａでの正反射光Ｌ１等の反射光（戻り光）が、迷光となって、ポリゴンミラー７４に入射しないように、ＢＤセンサ１３１へのレーザビームＬの光軸のさらに外側まで、偏光板１１０と１／４波長板１２０とを延ばしている。
【０１３７】
かかる構成を備えた光学走査装置１（１ｂ）では、偏光板１１０及び１／４波長板１２０の双方が水平同期出射領域β１よりも外側まで設けられていることで、偏光板及び波長板を別途設けることなく、結像光学系８０及び／又は感光体ドラム３からの正反射光Ｌ１等の反射光（戻り光）に加えて、ＢＤセンサ１３１からの正反射光Ｌ１等の反射光（戻り光）が、ポリゴンミラー７４に入射しないようにすることが可能となる。
【０１３８】
［第３実施形態］
図１０は、本発明の第３実施形態に係る光学走査装置１（１ｃ）の概略構成を感光体ドラム３と共に示す平面図である。
【０１３９】
図１０に示す光学走査装置１（１ｃ）は、図９に示す光学走査装置１（１ｂ）において、ポリゴンミラー７４と結像光学系８０との間に配置した偏光板１１０及び１／４波長板１２０を除去し、ポリゴンミラー７４とＢＤセンサ１３１（ここではＢＤセンサ用ミラー１３２とＢＤセンサ１３１との間）との間のレーザビームＬの光路上に光学部材を構成する偏光板１１０ａ及び１／４波長板１２０ａの双方を配置したものである。
【０１４０】
図１０において、図９に示す光学走査装置１（１ｂ）と実質的に同じ構成要素には同一符号を付し、その説明を省略する。
【０１４１】
図１０に示す光学走査装置１（１ｃ）は、光学部材１００として、偏光板及び１／４波長板のうち少なくとも１／４波長板（ここでは偏光板１１０ａ及び１／４波長板１２０ａの双方）がＢＤセンサ用ミラー１３２とＢＤセンサ１３１との間に設けられている。
【０１４２】
かかる構成を備えた光学走査装置１（１ｃ）では、ポリゴンミラー７４からのレーザビームＬが感光体ドラム３に照射される過程で反射する反射光（戻り光）として、ＢＤセンサ１３１からの正反射光Ｌ１等の反射光（戻り光）を遮断することができ、しかも、偏光板１１０及び１／４波長板１２０の双方がＢＤセンサ用ミラー１３２とＢＤセンサ１３１との間に設けられることで、該偏光板１１０ａ及び１／４波長板１２０ａを小さいサイズにすることができ、それだけ安価にＢＤセンサ１３１からの正反射光Ｌ１等の反射光（戻り光）による迷光の発生を防止することができる。
【０１４３】
［第４実施形態］
図１１は、本発明の第４実施形態に係る光学走査装置１（１ｄ）の概略構成を感光体ドラム３と共に示す平面図である。
【０１４４】
図１１に示す光学走査装置１（１ｄ）は、図９に示す光学走査装置１（１ｂ）において、ポリゴンミラー７４とＢＤセンサ１３１との間（ここではＢＤセンサ用ミラー１３２とＢＤセンサ１３１との間）のレーザビームＬの光路上に光学部材を構成する偏光板１１０ａ及び１／４波長板１２０ａの双方を配置したものである。
【０１４５】
図１１において、図９に示す光学走査装置１（１ｂ）と実質的に同じ構成要素には同一符号を付し、その説明を省略する。
【０１４６】
かかる構成を備えた光学走査装置１（１ｄ）では、ポリゴンミラー７４とＢＤセンサ１３１との間（ここではＢＤセンサ用ミラー１３２とＢＤセンサ１３１との間）に偏光板１１０ａ及び１／４波長板１２０ａの双方が設けられているので、ＢＤセンサ１３１へのレーザビームＬの光軸のさらに外側にまで、ポリゴンミラー７４と感光体ドラム３との間に設けられた偏光板１１０と１／４波長板１２０とを延ばさなくても、図９に示す第２実施形態の効果と同様の効果を得ることができる。
【０１４７】
しかしながら、本第４実施形態に係る光学走査装置１（１ｄ）では、結像光学系８０及び／又は感光体ドラム３からの正反射光Ｌ１と、ＢＤセンサ１３１からの正反射光Ｌ１とを遮断する上で、偏光板１１０及び１／４波長板１２０の双方をポリゴンミラー７４と感光体ドラム３との間に設け、かつ、偏光板１１０ａ及び１／４波長板１２０ａの双方をＢＤセンサ用ミラー１３２とＢＤセンサ１３１との間に設ける。このため、偏光板及び１／４波長板が２個ずつの合計４個の部材が必要になる。そこで、次の第５実施形態に係る光学走査装置１（１ｅ）とすることが好ましい。
【０１４８】
［第５実施形態］
図１２は、本発明の第５実施形態に係る光学走査装置１（１ｅ）の概略構成を感光体ドラム３と共に示す平面図である。
【０１４９】
図１２に示す光学走査装置１（１ｅ）は、図１１に示す光学走査装置１（１ｄ）において、ポリゴンミラー７４とＢＤセンサ１３１との間（ここではＢＤセンサ用ミラー１３２とＢＤセンサ１３１との間）に配置した偏光板１１０ａを除去し、ポリゴンミラー７４と結像光学系８０との間に配置した偏光板１１０及び１／４波長板１２０のうち偏光板１１０を長くし、該長くした偏光板１１０を、ポリゴンミラー７４からのレーザビームＬの感光体ドラム３への走査領域α、ポリゴンミラー７４とＢＤセンサ１３１との間（ここではポリゴンミラー７４とＢＤセンサ用ミラー１３２との間）の光路をまたぐように設けたものである。
【０１５０】
図１２において、図１１に示す光学走査装置１（１ｄ）と実質的に同じ構成要素には同一符号を付し、その説明を省略する。
【０１５１】
かかる構成を備えた光学走査装置１（１ｅ）では、ポリゴンミラー７４と結像光学系８０との間に配置した偏光板１１０は、ポリゴンミラー７４からのレーザビームＬの感光体ドラム３への走査領域α、ポリゴンミラー７４とＢＤセンサ１３１との間（ここではポリゴンミラー７４とＢＤセンサ用ミラー１３２との間）の光路をまたぐように設けられている。また、ポリゴンミラー７４とＢＤセンサ１３１との間（ここではＢＤセンサ用ミラー１３２とＢＤセンサ１３１との間）に１／４波長板１２０ａが別途設けられている。従って、１個の偏光板１１０と、２個の１／４波長板１２０，１２０ａとの合計３個の部材で済み、それだけ安価な構成で、結像光学系８０及び／又は感光体ドラム３からの正反射等の反射光（戻り光）と、ＢＤセンサ１３１からの正反射光Ｌ１等の反射光（戻り光）とを遮断することが可能となる。
【０１５２】
また、偏光板１１０は、さらに、レーザ光源７１からのレーザビームＬがポリゴンミラー７４を直接的に照射する光路（ここでは反射ミラー７３（図１２では図示せず、図３参照）とポリゴンミラー７４との間の光路）をまたぐように設けられている。
【０１５３】
こうすることで、ポリゴンミラー７４のレーザビームＬが照射される反射面７４ｆを覆うように偏光板１１０を配置することができ、これにより、ポリゴンミラー７４の反射面７４ｆの汚れを有効に防止することができる上、騒音の効果も得ることができる。
【０１５４】
以上説明した光学走査装置１（１ａ〜１ｅ）は、タンデム型の画像形成装置に搭載されるが、単一の感光体を備えた画像形成装置に搭載されてもよい。また、光学走査装置１（１ａ〜１ｅ）は、アンダーフィルド型のものであるが、オーバーフィルド型のものであってもよい。
【符号の説明】
【０１５５】
１（１ａ〜１ｅ）  光学走査装置
３                感光体ドラム（被走査体の一例）
７１              レーザ光源（光源の一例）
７４              ポリゴンミラー（回転多面鏡）
７５              第１ｆθレンズ
７７              第２ｆθレンズ
８０              結像光学系
１００            光学部材
１１０            偏光板（第１部材の一例）
１２０            １／４波長板（第２部材の一例）
１３１            ＢＤセンサ（水平同期信号出力手段の一例）
Ｄ                画像形成装置
Ｌ                レーザビーム（光ビームの一例）
Ｌ１              正反射光
Ｘ                主走査方向
α                走査領域
β１              水平同期出射領域
【図１】
2011013322.tif 000003
【図２】
2011013322.tif 000004
【図３】
2011013322.tif 000005
【図４】
2011013322.tif 000006
【図５】
2011013322.tif 000007
【図６】
2011013322.tif 000008
【図７】
2011013322.tif 000009
【図８】
2011013322.tif 000010
【図９】
2011013322.tif 000011
【図１０】
2011013322.tif 000012
【図１１】
2011013322.tif 000013
【図１２】
2011013322.tif 000014
【図１３】
2011013322.tif 000015